(57)【要約】      （修正有）【課題】揉み洗いのしやすさを損なうことなく、自立可能な洗濯用容器を提供する。【解決手段】洗濯用容器１０は、柔軟な素材により構成され、洗濯対象物を入れるための開口１５を有するとともに、洗濯対象物を擦るための凹凸領域２１ａが内面に設けられた容器本体１１を備える。容器本体を外側から押すことで、容器本体内において洗濯対象物の揉み洗いが可能である。容器本体は、扁平な形状に形成され、容器本体の高さ寸法に対し１／３〜１／５の厚さ寸法の底面１３を有する。【選択図】図１
0003231903.tif 000002
【実用新案登録請求の範囲】
【請求項１】
柔軟な素材により構成され、洗濯対象物を入れるための開口を有するとともに、前記洗濯対象物を擦るための凹凸領域が内面に設けられた容器本体を備え、
前記容器本体を外側から押すことで、前記容器本体内において前記洗濯対象物の揉み洗いが可能な洗濯用容器であって、
前記容器本体は、当該洗濯用容器を立てるための底面を有する、洗濯用容器。
【請求項２】
前記容器本体は、扁平な形状に形成され、
前記底面の厚さ寸法は、当該容器本体の高さ寸法の１／３〜１／５の範囲内にある、請求項１に記載の洗濯用容器。
【請求項３】
前記容器本体では、側面の内面及び底面の内面に、前記凹凸領域がそれぞれ設けられている、請求項１又は２に記載の洗濯用容器。
【請求項４】
前記凹凸領域では、延伸方向が互いに異なる２本以上の棒状凸部が多数配列されることで、凹凸が形成されている、請求項１乃至３の何れか１つに記載の洗濯用容器。
【請求項５】
前記容器本体の外側には、当該容器本体を吊り下げるための引っ掛け部が設けられている、請求項１乃至４の何れか１つに記載の洗濯用容器。
【請求項６】
前記容器本体は、正面視における横方向の寸法が１５ｃｍ以下、高さ寸法が１５ｃｍ以下である、請求項１乃至４の何れか１つに記載の洗濯用容器。
【考案の詳細な説明】
【技術分野】
【０００１】
本考案は、揉み洗いに用いる洗濯用容器に関する。
【背景技術】
【０００２】
新型コロナウイルス蔓延に伴う新しい生活様式において、マスクなどの小物を手洗いする場面が増えている。しかし、手洗いにより手荒れが生じる虞がある。
【０００３】
特許文献１には、洗濯対象物の揉み洗いができる洗濯補助具が記載されている。この洗濯補助具は、水を通さない素材で作られた袋状のもので、当該袋状内側部分の少なくとも一部が凹凸状、またはブラシ状のような突起を有する。
【先行技術文献】
【特許文献】
【０００４】
【特許文献１】特開２０１０−０８８８４０号公報
【考案の概要】
【考案が解決しようとする課題】
【０００５】
ところで、本願考案者は、洗濯用容器を立てることができるようにすることで、収納時などに便利であると考えた。従来の洗濯用容器では、当該容器の底部の外周が曲線状になっており、当該容器を立てることはできない。
【０００６】
本考案は、このような事情に鑑みてなされたものであり、立てることが可能な洗濯用容器を実現することを目的とする。
【課題を解決するための手段】
【０００７】
上述の課題を解決するべく、第１の考案は、柔軟な素材により構成され、洗濯対象物を入れるための開口を有するとともに、洗濯対象物を擦るための凹凸領域が内面に設けられた容器本体を備え、容器本体を外側から押すことで、容器本体内において洗濯対象物の揉み洗いが可能な洗濯用容器であって、容器本体は、当該容器本体を立てるための底面を有する。
【０００８】
第２の考案は、第１の考案において、容器本体は、扁平な形状に形成され、底面の厚さ寸法は、当該容器本体の高さ寸法の１／３〜１／５の範囲内にある。
【０００９】
第３の考案は、第１又は第２の考案において、容器本体では、側面の内面及び底面の内面に、凹凸領域がそれぞれ設けられている。
【００１０】
第４の考案は、第１乃至第３の何れか１つの考案において、凹凸領域では、延伸方向が互いに異なる２本以上の棒状凸部が多数配列されることで、凹凸が形成されている。
【００１１】
第５の考案は、第１乃至第４の何れか１つの考案において、容器本体の外側には、当該容器本体を吊り下げるための引っ掛け部が設けられている。
【００１２】
第６の考案は、第１乃至第５の何れか１つの考案において、容器本体は、正面視における横方向の寸法が１５ｃｍ以下、高さ寸法が１５ｃｍ以下である。
【考案の効果】
【００１３】
本考案では、容器本体が洗濯用容器を立てるための底面を有するため、収納時などに立てることが可能な洗濯用容器を実現することができる。
【図面の簡単な説明】
【００１４】
【図１】図１は、本実施形態に係る洗濯用容器の斜視図である。
【図２】図２は、本実施形態に係る洗濯用容器の正面図である。
【図３】図３は、本実施形態に係る梱洗濯用容器の上面図である。
【図４】図４は、本実施形態に係る梱洗濯用容器の下面図である。
【図５】図５は、本実施形態に係る梱洗濯用容器の使用状態を説明するための図である。
【考案を実施するための形態】
【００１５】
以下、図面を参照しながら、本考案の実施形態を詳細に説明する。なお、以下の実施形態は、本考案の一例であって、本考案、その適用物、あるいはその用途の範囲を制限することを意図するものではない。
【００１６】
洗濯用容器１０は、小さめの洗濯対象物（例えば、マスク）５の揉み洗いに用いるものである。洗濯用容器１０は、洗濯対象物５を入れる開口１５が上側に形成された容器本体１１により構成されている。
【００１７】
容器本体１１は、図１に示すように、厚みが薄く扁平な形状に形成されている。容器本体１１は、水を通さない柔軟な素材により構成されている。容器本体１１の素材には、合成樹脂（例えば、シリコンゴム）を用いることができる。容器本体１１は、図１及び図２に示すように、側面を構成する筒状部１２と、筒状部１２の下側を塞ぐ底面１３とを備えている。
【００１８】
筒状部１２は、図３に示すように、上面視において細長い長円状を呈する、扁平な筒体である。筒状部１２の上端の開口１５も、上面視において細長い長円状を呈する。以下では、上面視における筒状部１２の長手方向を「幅方向」、上面視における筒状部１２の短手方向を「厚さ方向」、上下方向を「高さ方向」という（図２，図３参照）。
【００１９】
筒状部１２は、上面視において略幅方向に延びる一対の主側面２１，２２と、上面視において略厚さ方向に延びる一対の副側面２３，２４とにより構成されている。一対の主側面２１，２２は、厚さ方向に互いに対面している。一対の副側面２３，２４は、幅方向に互いに対面し、一対の主側面２１，２２の端部間を接続している。
【００２０】
一対の主側面２１，２２は、互いに同じ形状である。各主側面２１，２２は、正面視において、上側に向かって広がる略台形状に形成されている。正面視における各主側面２１，２２では、上下の各辺が台形の底に相当し、左右の各辺が台形の脚に相当する。
【００２１】
各主側面２１，２２の内面には、洗濯対象物５を擦るための凹凸領域２１ａ，２２ａが設けられている。凹凸領域２１ａ，２２ａは、正面視において四角形状（例えば、矩形状）を呈する。各主側面２１，２２の内面では、広範囲に凹凸領域２１ａ，２２ａが形成されている。凹凸領域２１ａ，２２ａでは、延伸方向が互いに異なる２本以上の棒状凸部２５ａ，２５ｂが多数配列されることで、凹凸が繰り返されている。多数の棒状凸部２５ａ，２５ｂは、所定方向に延びる第１凸部２５ａと、第１凸部２５ａに対し略垂直な方向に延びる第２凸部２５ｂにより構成されている。各凸部２５ａ，２５ｂは、正面視において細長い長円状を呈する、小突起である。なお、第１凸部２５ａと第２凸部２５ｂは、互いに交差していていてもよい。
【００２２】
底面１３は、細長い長円状を呈する。底面１３の裏面は、平坦面に形成されている。底面１３の長軸の長さは、開口１５の長軸の長さよりも短い。底面１３の短軸の長さ（厚さ方向の寸法）Ｘは、揉み洗いのしやすさを損なうことなく、容器本体１１を自立させることが可能な値に設定されている。
【００２３】
また、底面１３の内面には、洗濯対象物５を擦るための凹凸領域１３ａが設けられている。凹凸領域１３ａには、延伸方向が互いに異なる２本以上の棒状凸部２５ａ，２５ｂが多数配列されることで、凹凸が繰り返されている。なお、底面１３の内面は、凹凸領域１３ａを設けずに平坦面としてもよい。
【００２４】
容器本体１１の外側には、容器本体１１を吊り下げるための引っ掛け部１８が設けられている。引っ掛け部１８は、リング状に形成されている。引っ掛け部１８は、副側面２３の上部に配置されている。引っ掛け部１８に紐などを結ぶことで、容器本体１１を吊り下げることが可能となる。
【００２５】
容器本体１１の寸法について説明する。容器本体１１の幅方向の寸法（正面視において寸法が最大の上端の寸法）は、１５ｃｍ以下（例えば、１２ｃｍ程度）である。容器本体１１の高さ方向の寸法は、１５ｃｍ以下（例えば、１０ｃｍ程度）である。容器本体１１の厚さ方向の寸法は、４ｃｍ以下（例えば、２．５ｃｍ程度）である。容器本体１１の厚さ方向の寸法は、容器本体１１の高さ寸法の１／３〜１／５の値（例えば、高さ寸法が１０ｃｍの場合に、寸法Ｘは２〜３．３ｃｍ）にすることができる。また、容器本体１１の厚さ方向の寸法は、容器本体１１の幅方向の寸法の１／３〜１／５にすることができる。
【００２６】
［洗濯用容器の使用方法及び実施形態の効果］
洗濯用容器１０の使用方法について説明を行う。洗濯用容器１０には、開口１５から洗剤及び水を入れて、これらを混合した後に、洗濯対象物５を入れる。そして、この状態で、使用者が容器本体１１の主側面２１，２２を外側から押すことで、凹凸領域２１ａ，２２ａに洗濯対象物５を擦りつけながら揉み洗いを行うことができる。なお、洗濯用容器１０に洗剤及び水を入れる前に洗濯対象物５を入れてもよい。
【００２７】
本実施形態では、容器本体１１が洗濯用容器１０を立てるための底面１３を有するため、収納時などに立てることが可能な洗濯用容器１０を実現することができる。
【００２８】
また、容器本体１１は、扁平な形状に形成され、底面１３の厚さ寸法は、当該容器本体１１の高さ寸法の１／３〜１／５の範囲内にある。ここで、洗濯用容器１０に底面１３を設けた場合に、底面１３の厚さ寸法が大きすぎると、主側面２１，２２間の距離が大きくなり、揉み洗いがしにくくなる。本実施形態によれば、底面１３の厚さ寸法を所定範囲内とすることで、揉み洗いのしやすさを損なうことなく、自立可能な洗濯用容器１０を実現することができる。
【００２９】
また、容器本体１１は、正面視における横方向の寸法が１５ｃｍ以下で、高さ寸法も１５ｃｍ以下である。そのため、マスクなどの小型の洗濯対象物５の揉み洗いを行うのに、洗濯用容器１０の取り扱いが容易である。また、底面１３により洗濯用容器１０を自立させることで、収納も容易になるし、漬け置き洗いも容易に行うことができる。また、引っ掛け部１８を利用して洗濯用容器１０を吊り下げることもできる。
【００３０】
また、底面１３にも凹凸領域１３ａが設けられているため、上側から洗濯対象物５を押して、凹凸領域１３ａに洗濯対象物５を擦りつけながら揉み洗いを行うこともできる。
【００３１】
また、各凹凸領域１３ａ，２１ａ，２２ａでは、延伸方向が互いに異なる２本以上の棒状凸部２５ａ，２５ｂが多数配列されることで、凹凸が繰り返されている。そのため、揉み洗いにおいて洗濯対象物５が様々な方向に擦りつけられる中で、洗濯対象物５と凹凸領域１３ａ，２１ａ，２２ａの摩擦が比較的大きくなるため、洗濯対象物５から汚れを効果的に落とすことができる。
【００３２】
［その他の変形例］
上述の実施形態において、容器本体１１は、開口１５を封止する封止部（例えば、面ファスナー、チャック）を備えていてもよい。
【００３３】
上述の実施形態では、容器本体１１の上側の全体が開放されて開口１５が形成されているが、長手方向の両端など塞いで開口１５の横方向の長さを短くしてもよい。
【００３４】
上述の実施形態において、凹凸領域１３ａ，２１ａ，２２ａを構成する凸部２５ａ，２５ｂは、正面視において円形、矩形などの単純な形状であってもよい。
【産業上の利用可能性】
【００３５】
本考案は、揉み洗いに用いる洗濯用容器等に適用可能である。
【符号の説明】
【００３６】
５      洗濯対象物
１０    洗濯用容器
１１    容器本体
１２    筒状部
１３    底面
１３ａ    凹凸領域
２１，２２    主側面
２１ａ，２２ａ    凹凸領域
【図１】
0003231903.tif 000003
【図２】
0003231903.tif 000004
【図３】
0003231903.tif 000005
【図４】
0003231903.tif 000006
【図５】
0003231903.tif 000007